【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
照明システムでの使用のためのゲートモジュールであって、前記照明システムが、少なくとも１つのセンサを含む少なくとも１つのセンサモジュールと、少なくとも１つの照明器具を含む照明ネットワークとを有し、前記ゲートモジュールが、
前記少なくとも１つのセンサモジュールによって取得されるセンサデータを受信し、
入力信号を受信し、
前記入力信号及びメモリに記憶される所定のルールに基づいて、前記センサデータのうちのどの一部が前記少なくとも１つの照明器具の制御用の少なくとも１つの照明器具コントローラに供給されるべきであるかを決定し、
前記センサデータのうちの決定された前記一部だけを前記少なくとも１つの照明器具コントローラに供給するよう構成され、
前記入力信号が、前記少なくとも１つのセンサモジュールのうちのセンサモジュールに関連するデバイスの向きを示し、前記所定のルールが、前記デバイスが所定の向きに配置されているときにだけ前記照明器具コントローラにセンサデータを送信することを指示するゲートモジュール。
【請求項２】
前記入力信号が、前記少なくとも１つのセンサモジュールのセンサによって検出される少なくとも１つの光特性を含み、前記所定のルールが、前記少なくとも１つのセンサモジュールによって所定の光特性が検出されるときに、前記センサデータのうちのどの一部だけが前記照明器具コントローラに送信されるべきであるかを規定する請求項１に記載のゲートモジュール。
【請求項３】
前記少なくとも１つの光特性が、
前記センサによって検出される光の強度であって、前記所定のルールが、センサデータは、検出される前記強度が所定のしきい値強度範囲内にあるときにだけ、前記照明器具コントローラに送信されるべきであることを規定する光の強度、及び
前記センサによって受け取られる光から前記センサによって復号される識別子であって、前記所定のルールが、センサデータは、前記センサが、光であって、前記光に埋め込まれた所定の識別子を有する光を検出するときにだけ、前記照明器具コントローラに送信されるべきであることを規定する識別子のうちの１つ以上を有する請求項２に記載のゲートモジュール。
【請求項４】
前記入力信号が、前記少なくとも１つのセンサモジュールのうちのセンサモジュールが実装されるデバイスの環境の環境状態を示し、前記所定のルールが、前記センサモジュールから受信されるセンサデータは、前記環境状態の検出値が所定のしきい値範囲内にあるときにだけ、前記照明器具コントローラに送信されるべきであることを規定する請求項１乃至３のいずれか一項に記載のゲートモジュール。
【請求項５】
前記入力信号が、前記少なくとも１つのセンサモジュールのうちのセンサモジュールが実装されるデバイスの電源が充電状態にあるかどうかに関する表示を含み、前記所定のルールが、前記センサモジュールから受信されるセンサデータは、前記デバイスの前記電源が充電状態にあるときにだけ、前記照明器具コントローラに送信されるべきであることを規定する請求項１乃至４のいずれか一項に記載のゲートモジュール。
【請求項６】
前記入力信号が、前記少なくとも１つのセンサモジュールのうちのセンサモジュールが実装されるデバイスの位置の表示を含み、前記所定のルールが、前記センサモジュールから受信されるセンサデータは、前記デバイスが前記少なくとも１つの照明器具から所定の距離内にあるときにだけ、前記照明器具コントローラに送信されるべきであることを規定し、前記ゲートモジュールが、前記少なくとも１つの光源の既知の位置情報を用いて前記決定を実施するよう構成される請求項１乃至５のいずれか一項に記載のゲートモジュール。
【請求項７】
前記ゲートモジュールが、前記少なくとも１つの照明器具のうちの照明器具に実装され、前記照明器具が、前記照明器具コントローラ及び前記少なくとも１つの光源を有し、前記ゲートモジュールが、前記照明器具のインターフェースを介して前記センサデータを受信するよう構成される請求項１乃至６のいずれか一項に記載のゲートモジュール。
【請求項８】
前記ゲートモジュール及び照明器具コントローラが、前記照明ネットワーク内に接続されるネットワークエンティティに実装され、前記ゲートモジュールが、前記ネットワークエンティティに結合される前記少なくとも１つの照明器具によって発せられる光の制御において用いるために、前記ネットワークエンティティのインターフェースを介して前記センサデータを受信するよう構成される請求項１乃至６のいずれか一項に記載のゲートモジュール。
【請求項９】
前記ゲートモジュールが、或るタイプのセンサデータを複数のセンサモジュールから受信し、前記ゲートモジュールが、更に、
前記少なくとも１つの照明器具コントローラへの前記センサデータのうちの前記決定された一部の供給が所定の帯域幅しきい値を超えていることを検出し、
前記検出に応じて、前記複数のセンサモジュールのサブセットから受信される前記タイプのセンサデータしか供給しないよう構成される請求項１乃至８のいずれか一項に記載のゲートモジュール。
【請求項１０】
前記ゲートモジュールが、前記少なくとも１つのセンサモジュールを有するユーザ端末に実装され、前記ユーザ端末のインターフェースを介する接続を通じて、前記照明ネットワーク内に接続される前記照明器具コントローラに前記センサデータを供給するよう構成される請求項１乃至６のいずれか一項に記載のゲートモジュール。
【請求項１１】
前記所定のルールが、センサデータは、前記少なくとも１つの照明器具における動きセンサが、前記センサの検出領域内の動きを、動き検出後に所定の期間の間、検出していないという表示を有する入力信号の受信時にだけ、前記照明器具コントローラに送信されるべきであることを規定し、前記ゲートモジュールが、前記入力信号の受信時に前記決定を実施するよう構成される請求項１０に記載のゲートモジュール。
【請求項１２】
前記ゲートモジュールが、前記少なくとも１つのセンサモジュールの１つ以上のセンサから出力されるセンサデータは前記照明器具コントローラに供給されるべきではないという決定に応じて、前記１つ以上のセンサの動作を制御するよう構成される請求項１乃至１１のいずれか一項に記載のゲートモジュール。
【請求項１３】
各センサモジュールが少なくとも１つのセンサを含む少なくとも１つのセンサモジュールと、少なくとも１つの照明器具を含む照明ネットワークとを有する照明システムに実装されるゲートモジュールによって実施される方法であって、前記方法が、
前記少なくとも１つのセンサモジュールによって取得されるセンサデータを受信するステップと、
入力信号を受信するステップと、
前記入力信号及びメモリに記憶される所定のルールに基づいて、前記センサデータのうちのどの一部が前記少なくとも１つの照明器具の制御用の少なくとも１つの照明器具コントローラに供給されるべきであるかを決定するステップと、
前記センサデータのうちの決定された前記一部だけを前記少なくとも１つの照明器具コントローラに供給するステップとを有し、
前記入力信号が、前記少なくとも１つのセンサモジュールのうちのセンサモジュールに関連するデバイスの向きを示し、前記所定のルールが、前記デバイスが所定の向きに配置されているときにだけ前記照明器具コントローラにセンサデータを送信することを指示する方法。
【請求項１４】
少なくとも１つの照明器具を含む照明器具ネットワークへのセンサデータの送信を制御するためのコンピュータプログラムであって、前記コンピュータプログラムが、コンピュータ可読媒体において具現化されるコードであって、プロセッサにおいて実行されるときに、
少なくとも１つのセンサモジュールによって取得されるセンサデータを受信し、
入力信号を受信し、
前記入力信号及びメモリに記憶される所定のルールに基づいて、前記センサデータのうちのどの一部が、前記少なくとも１つの照明器具の制御用の少なくとも１つの照明器具コントローラに供給されるべきであるかを決定し、
前記センサデータのうちの決定された前記一部だけを前記少なくとも１つの照明器具コントローラに供給するよう構成されるコードを有し、
前記入力信号が、前記少なくとも１つのセンサモジュールのうちのセンサモジュールに関連するデバイスの向きを示し、前記所定のルールが、前記デバイスが所定の向きに配置されているときにだけ前記照明器具コントローラにセンサデータを送信することを指示するコンピュータプログラム。